(57)【特許請求の範囲】
【請求項１】
室内空間を仕切る間仕切り壁の構造であって、
両面に断熱性遮音材を複数層ずつ設けた乾式壁からなり、上端を断熱性遮音材が複数層設けられた天井面に固定し、下端を床スラブ上に形成された二重床の床面に固定し、乾式壁の内層側の断熱性遮音材の下端の直下の二重床の上部床に、縁切り用の切り欠きを設けたことを特徴とする間仕切り壁の構造。
【請求項２】
乾式壁の直上の天井面の断熱性遮音材に、縁切り用の切り欠きを設けたことを特徴とする請求項１に記載の間仕切り壁の構造。
【請求項３】
室内空間を仕切る間仕切り壁の構造であって、
両面に断熱性遮音材を複数層ずつ設けた乾式壁からなり、上端を断熱性遮音材が複数層設けられた天井面に固定し、下端を床スラブ上に形成された二重床の床面に固定し、乾式壁の直上の天井面の断熱性遮音材に、縁切り用の切り欠きを設けたことを特徴とする間仕切り壁の構造。
【請求項４】
乾式壁の内層側の断熱性遮音材の上端と天井面の断熱性遮音材との間に、シーリング材を設けたことを特徴とする請求項１〜３のいずれか一つに記載の間仕切り壁の構造。
【請求項５】
乾式壁の直下の上部床と、この上部床を直下より支持する置き床支持脚との間に、防振部材を設けたことを特徴とする請求項１〜４のいずれか一つに記載の間仕切り壁の構造。
【請求項６】
乾式壁の内部に、断熱性吸音材を設けたことを特徴とする請求項１〜５のいずれか一つに記載の間仕切り壁の構造。
【請求項７】
請求項１〜６のいずれか一つに記載の間仕切り壁の構造を施工する方法であって、
床スラブ上に二重床を形成するとともに、天井面に複数層の断熱性遮音材を設けた後、天井面と二重床の床面との間に乾式壁を施工することを特徴とする間仕切り壁の施工方法。
【請求項８】
請求項１〜６のいずれか一つに記載の間仕切り壁の構造を有する住戸を備えることを特徴とする集合住宅建築物。
【請求項９】
全ての間仕切り壁が請求項１〜６のいずれか一つに記載の間仕切り壁の構造のうちの少なくとも一つである住戸を備えることを特徴とする集合住宅建築物。
【請求項１０】
音が発生する空間または音の伝達を遮りたい空間の間仕切り壁が請求項１〜６のいずれか一つに記載の間仕切り壁の構造のうちの少なくとも一つである住戸を備えることを特徴とする集合住宅建築物。
【発明の詳細な説明】
【技術分野】
【０００１】
本発明は、例えば超高層集合住宅建築物などに備わる住戸内の部屋を仕切る間仕切り壁の構造、施工方法およびこの構造を有する集合住宅建築物に関するものである。
【背景技術】
【０００２】
昨今の超高層集合住宅建築物の建設工事においては、労務削減が可能なモジュール化を推進することにより、不具合発生の防止、工程の順守、コストの削減を図ることが重要視されてきている。特に内装工事の合理化により、手戻りや工数を削減することが求められている。
【０００３】
ところで、従来の集合住宅建築物の住戸においては、台所、浴室、トイレ、ＰＳ（パイプスペース）などの水廻りは音の発生源となることから、静音性を確保したい寝室廻りとの境界に図１２に示すような先行壁１を施工することで、天井や床空間（天井躯体と天井仕上げの空間や、床躯体と床仕上げの空間）を遮り、音を伝わりにくくしていた。一方、他室の壁部分については、上記の先行壁１や図１３、図１４に示すような二重床上に設けた壁２、３などが採用されるなど、各住戸内に複数の種類の壁が混在することがあった。
【０００４】
例えば図１５に示すようなレイアウトの住戸において、先行壁１と二重床上に設けた壁２がある場合、壁の組み立て作業を２回に分けて施工するので手間と時間が掛かっていた。また、ディベロッパーによって要求する仕様が異なるため、施工すべき壁の種類が多くなって、施工図書および施工図の作成やその確認、施工作業や施工確認等に多大な労力を要することがあった。さらに、床上から立つ壁については補強が必要となり、壁位置を後から変更することは難しいという問題もあった。このため、こうした従来の施工方式によらないで内装工事の作業効率化を図れる技術が求められていた。
【０００５】
一方、壁によって仕切られた部屋を有する住居や、複数の住戸からなる集合住宅において、間仕切り壁の取り付け作業や変更作業を容易に行えるようにした技術がいくつか知られている（例えば、特許文献１〜７を参照）。
【先行技術文献】
【特許文献】
【０００６】
【特許文献１】特開平７−２７９４４７号公報
【特許文献２】特開平１０−３７４９７号公報
【特許文献３】特開２０１１−１８４９０１号公報
【特許文献４】実用新案登録第３０６５８０７号公報
【特許文献５】特開平１１−３３２６８２号公報
【特許文献６】特開平８−４２０３０号公報
【特許文献７】特開２００２−２８５６６６号公報
【発明の概要】
【発明が解決しようとする課題】
【０００７】
本発明は、上記に鑑みてなされたものであって、上記の従来の施工方式によらないで内装工事の作業効率化を図れる間仕切り壁の構造、施工方法および集合住宅建築物を提供することを目的とする。
【課題を解決するための手段】
【０００８】
上記した課題を解決し、目的を達成するために、本発明に係る間仕切り壁の構造は、室内空間を仕切る間仕切り壁の構造であって、両面に断熱性遮音材を複数層ずつ設けた乾式壁からなり、上端を断熱性遮音材が複数層設けられた天井面に固定し、下端を床スラブ上に形成された二重床の床面に固定したことを特徴とする。
【０００９】
また、本発明に係る他の間仕切り壁の構造は、上述した発明において、乾式壁の内層側の断熱性遮音材の上端と天井面の断熱性遮音材との間に、シーリング材を設けたことを特徴とする。
【００１０】
また、本発明に係る他の間仕切り壁の構造は、上述した発明において、乾式壁の内層側の断熱性遮音材の下端の直下の二重床の上部床に、縁切り用の切り欠きを設けたことを特徴とする。
【００１１】
また、本発明に係る他の間仕切り壁の構造は、上述した発明において、乾式壁の直上の天井面の断熱性遮音材に、縁切り用の切り欠きを設けたことを特徴とする。
【００１２】
また、本発明に係る他の間仕切り壁の構造は、上述した発明において、乾式壁の直下の上部床と、この上部床を直下より支持する置き床支持脚との間に、防振部材を設けたことを特徴とする。
【００１３】
また、本発明に係る他の間仕切り壁の構造は、上述した発明において、乾式壁の内部に、断熱性吸音材を設けたことを特徴とする。
【００１４】
また、本発明に係る間仕切り壁の施工方法は、上述した間仕切り壁の構造を施工する方法であって、床スラブ上に二重床を形成するとともに、天井面に複数層の断熱性遮音材を設けた後、天井面と二重床の床面との間に乾式壁を施工することを特徴とする。
【００１５】
また、本発明に係る集合住宅建築物は、上述した間仕切り壁の構造を有する住戸を備えることを特徴とする。
【００１６】
また、本発明に係る他の集合住宅建築物は、全ての間仕切り壁が上記の間仕切り壁の構造のうちの少なくとも一つである住戸を備えることを特徴とする。
【００１７】
また、本発明に係る他の集合住宅建築物は、音が発生する空間または音の伝達を遮りたい空間の間仕切り壁が上記の間仕切り壁の構造のうちの少なくとも一つである住戸を備えることを特徴とする。
【発明の効果】
【００１８】
本発明に係る間仕切り壁の構造によれば、室内空間を仕切る間仕切り壁の構造であって、両面に断熱性遮音材を複数層ずつ設けた乾式壁からなり、上端を断熱性遮音材が複数層設けられた天井面に固定し、下端を床スラブ上に形成された二重床の床面に固定したので、この構造は二重床と天井面を先行施工した後、間仕切り壁を施工することで容易に得られる。したがって、本発明によれば、従来の施工方式によらないで内装工事の作業効率化が図れるという効果を奏する。
【００１９】
また、本発明に係る他の間仕切り壁の構造によれば、乾式壁の内層側の断熱性遮音材の上端と天井面の断熱性遮音材との間に、シーリング材を設けたので、このシーリング材によって、音漏れの原因となり易い間仕切り壁と天井面の接合部の遮音性を高めることができるという効果を奏する。
【００２０】
また、本発明に係る他の間仕切り壁の構造によれば、乾式壁の内層側の断熱性遮音材の下端の直下の二重床の上部床に、縁切り用の切り欠きを設けたので、切り欠きがある側の室内空間で発生した音に起因する固体伝搬音や歩行等による床の振動は切り欠きで遮断され、床面を通じて隣の室内空間に音漏れしにくくなる。このため、間仕切り壁の遮音性を高めることができるという効果を奏する。
【００２１】
また、本発明に係る他の間仕切り壁の構造によれば、乾式壁の直上の天井面の断熱性遮音材に、縁切り用の切り欠きを設けたので、室内空間で発生した音に起因する固体伝搬音は切り欠きで遮断され、天井面を通じて隣の室内空間に音漏れしにくくなる。このため、間仕切り壁の遮音性を高めることができるという効果を奏する。
【００２２】
また、本発明に係る他の間仕切り壁の構造によれば、乾式壁の直下の上部床と、この上部床を直下より支持する置き床支持脚との間に、防振部材を設けたので、この防振部材が間仕切り壁に伝わる音や振動を和らげる。このため、間仕切り壁の遮音性を高めることができるという効果を奏する。
【００２３】
また、本発明に係る他の間仕切り壁の構造によれば、乾式壁の内部に、断熱性吸音材を設けたので、間仕切り壁の遮音性をより一層高めることができるという効果を奏する。
【００２４】
また、本発明に係る間仕切り壁の施工方法によれば、上述した間仕切り壁の構造を施工する方法であって、床スラブ上に二重床を形成するとともに、天井面に複数層の断熱性遮音材を設けた後、天井面と二重床の床面との間に乾式壁を施工するので、従来の施工方式によらないで内装工事の作業効率化が図れるという効果を奏する。
【００２５】
また、本発明に係る集合住宅建築物によれば、上述した間仕切り壁の構造を有する住戸を備えるので、従来の施工方式によらないで内装工事の作業効率化が図れる。このため、建設工事に係る労務削減や不具合防止、コスト削減等が可能になるという効果を奏する。
【００２６】
また、本発明に係る他の集合住宅建築物によれば、全ての間仕切り壁が上記の間仕切り壁の構造のうちの少なくとも一つである住戸を備えるので、内装工事の作業効率化がより一層図れるという効果を奏する。
【００２７】
また、本発明に係る他の集合住宅建築物によれば、音が発生する空間または音の伝達を遮りたい空間の間仕切り壁が上記の間仕切り壁の構造のうちの少なくとも一つである住戸を備えるので、内装工事の作業効率化が図れるとともに、遮音性に優れた住戸を低コストで実現することができるという効果を奏する。
【図面の簡単な説明】
【００２８】
【図１】図１は、本発明に係る間仕切り壁の構造、施工方法の実施の形態を示す断面図である。
【図２】図２は、本発明に係る間仕切り壁の構造の天井面との接合部の一例を示す図である。
【図３】図３は、本発明に係る間仕切り壁の構造の床面との接合部の一例を示す図である。
【図４】図４は、本発明に係る間仕切り壁の構造の変形例を示す図である。
【図５】図５は、本発明に係る間仕切り壁の構造の変形例を示す図である。
【図６】図６は、本発明に係る間仕切り壁の構造の変形例を示す図である。
【図７】図７は、本発明に係る間仕切り壁の構造の変形例を示す図である。
【図８】図８は、本発明に係る間仕切り壁の構造の変形例を示す図である。
【図９】図９は、本発明の遮音性能の検証に用いた試験体を示す図であり、（１）は試験体１、（２）は試験体２、（３）は試験体３、（４）は試験体４である。
【図１０】図１０は、本発明の遮音性能の検証に用いた試験体を示す図であり、（１）は試験体５、（２）は試験体６、（３）は試験体７である。
【図１１】図１１は、試験体別の遮音性能を示す図であり、１／３オクターブ帯域中心周波数と室間音圧レベル差の関係を示したグラフ図である。
【図１２】図１２は、従来の先行壁の一例を示す断面図である。
【図１３】図１３は、従来の二重床上の壁の一例を示す断面図である。
【図１４】図１４は、従来の二重床上の壁の他の一例を示す断面図である。
【図１５】図１５は、従来の集合住宅の住戸内のレイアウトの一例を示す平面図である。
【発明を実施するための形態】
【００２９】
以下に、本発明に係る間仕切り壁の構造、施工方法および集合住宅建築物の実施の形態を図面に基づいて詳細に説明する。なお、この実施の形態によりこの発明が限定されるものではない。
【００３０】
［間仕切り壁の構造］
まず、本発明に係る間仕切り壁の構造について説明する。
図１に示すように、本発明に係る間仕切り壁の構造１０は、室内空間を仕切る間仕切り壁の構造であって、ＬＧＳ下地材１２（軽量鉄骨）の両面に断熱性遮音材としてのプラスターボードを２枚（複数層）ずつ貼り付けた乾式壁１４からなる。ここで、内側に位置するものをプラスターボード１６、外側に位置するものをプラスターボード１８とする。なお、ＬＧＳ下地材１２の部分は木軸材などの材料で構成してもよい。
【００３１】
この乾式壁１４の上端は同じく断熱性遮音材としてのプラスターボードが２枚（複数層）貼り付けられた天井面２０に固定されている。ここで、上側に位置するものをプラスターボード２２、下側に位置するものをプラスターボード２４とする。プラスターボード２２が固定される天井ＬＧＳ下地材である野縁３４と、その上方の上階の床スラブ２６との間には天井裏空間２５が形成されている。なお、野縁３４は図示しない吊りボルト等で上階の床スラブ２６から吊り下げ支持されている。一方、乾式壁１４の下端は床スラブ２６上に形成された二重床２８の床面３０に固定されている。なお、二重床２８内の乾式壁１４の直下およびその左右には複数の置き床支持脚３２が設けられている。
【００３２】
本発明に係る間仕切り壁の構造１０は、二重床２８と天井面２０を先行施工した後、乾式壁１４を施工することで容易に得られる。したがって、本発明によれば、従来の施工方式によらないで内装工事の作業効率化が図れる。
【００３３】
ここで、ＬＧＳ下地材１２の厚さ（ピッチ）としては、例えば４５０ｍｍ程度を採用することができる。この場合、ＬＧＳ下地材１２の両面、天井面２０に設けるプラスターボード１６、１８、２２、２４の厚さとしては、例えば９〜１２ｍｍ程度のものが望ましく、各場所において２枚重ねて使用することがより望ましい。このようにすれば、間仕切り壁の構造１０および天井面２０における遮音性能の品質が高められる。なお、ＬＧＳ下地材１２の両面や天井面２０に対して、プラスターボードを３枚以上貼り付けたり、異なる厚さのものを２枚以上貼り付けるようにしても構わない。
【００３４】
また、上記の間仕切り壁の構造１０を、複数の部屋を有する住戸内の間仕切りとして採用する場合には、壁位置の天井の高さは統一することが好ましい。この場合、例えば、床面３０から天井面２０までの高さ（つまり間仕切り壁の高さ）を例えば２．２〜２．７ｍ程度に統一してもよい。
【００３５】
ここで、間仕切り壁と天井の接合は、図２に示すような接合構造とすることができる。この図に示すように、天井の野縁３４の下面には２枚のプラスターボード２２、２４が貼り付けてある。間仕切り壁のＬＧＳ下地材１２の上端部には溝型断面の壁支持材３６が固定されており、この上面は下側のプラスターボード２４に接合している。また、ＬＧＳ下地材１２の両面に貼り付けた２枚のプラスターボード１６、１８の上端は、それぞれ下側のプラスターボード２４に接合している。
【００３６】
また、間仕切り壁と床の接合は、図３に示すような接合構造とすることができる。この図に示すように、床には、下部床としての床スラブ２６と、この床スラブ２６から上方に間隔をあけて設けられた上部床３８とによって二重床２８が形成されている。上部床３８は、床下地材を構成するパーティクルボード４０と床面３０を構成する床材４２とからなる。間仕切り壁のＬＧＳ下地材１２の下端部には溝型断面の壁支持材４４が固定されており、この下面はパーティクルボード４０に接合している。また、ＬＧＳ下地材１２の両面に貼り付けた２枚のプラスターボード１６、１８の下端は、それぞれパーティクルボード４０に接合している。なお、パーティクルボード４０の部分は、プラスターボードやコンパネ等の板材で構成してもよい。
【００３７】
ここで、間仕切り壁の構造１０を床面３０上の自由な位置に立設できるように、間仕切り壁用の置き床支持脚３２は壁の直下に配置しなくてもよい。図の例では、間仕切り壁の直下から若干左方にずれた位置に、置き床支持脚３２を配置した場合を示している。
【００３８】
なお、上記の実施の形態においては、断熱性遮音材としてプラスターボードを使用した場合について説明したが、本発明はこれに限るものではなく、断熱性および遮音性を有する建築材料であれば、いかなる材料を用いてもよい。
【００３９】
また、上記の実施の形態において、間仕切り壁と天井および床との取り合いを工夫することで遮音性能を高めることも可能である。この遮音性向上に係る構造について図４〜図８を参照しながら以下に説明する。
【００４０】
図４は、本発明に係る間仕切り壁の構造１０の変形例を示したものである。この図に示すように、この間仕切り壁の構造１０は、乾式壁１４の内側のプラスターボード１６の上端と天井面２０のプラスターボード２４との間に、シーリング材４６を設けたものである。このシーリング材４６によって、音漏れの原因となり易い間仕切り壁の構造１０と天井面２０の接合部の遮音性を高めることができる。
【００４１】
図５は、本発明に係る間仕切り壁の構造１０の他の変形例を示したものである。この図に示すように、この間仕切り壁の構造１０は、乾式壁１４の内側のプラスターボード１６の下端の直下の二重床２８の上部床３８に、縁切り用の切り欠き４８を設けたものである。切り欠き４８がある側の室内空間で発生した音に起因する固体伝搬音や歩行等による床の振動は切り欠き４８で遮断され、床面３０を通じて隣の室内空間に音漏れしにくくなる。このため、間仕切り壁の構造１０の遮音性を高めることができる。
【００４２】
図６は、本発明に係る間仕切り壁の構造１０の他の変形例を示したものである。この図に示すように、この間仕切り壁の構造１０は、乾式壁１４の直下の上部床３８と、この上部床３８を直下より支持する置き床支持脚３２との間に、防振部材としての防振シート５０を設けたものである。この防振シート５０が間仕切り壁の構造１０に伝わる音や振動を和らげる。このため、間仕切り壁の構造１０の遮音性を高めることができる。
【００４３】
図７は、本発明に係る間仕切り壁の構造１０の他の変形例を示したものである。この図に示すように、この間仕切り壁の構造１０は、乾式壁１４の内側のプラスターボード１６の上端と天井面２０のプラスターボード２４との間に、シーリング材４６を設けるとともに、ＬＧＳ下地材１２の上端部の壁支持材３６の直上の天井面２０のプラスターボード２２、２４に、縁切り用の切り欠き５２を設けたものである。この構成によれば、シーリング材４６によって、音漏れの原因となり易い間仕切り壁の構造１０と天井面２０の接合部の遮音性を高めることができる。また、室内空間で発生した音に起因する固体伝搬音は切り欠き５２で遮断されるので、天井面２０を通じて隣の室内空間に音漏れしにくくなる。このため、間仕切り壁の構造１０の遮音性を高めることができる。
【００４４】
図８は、本発明に係る間仕切り壁の構造１０の他の変形例を示したものである。この図に示すように、この間仕切り壁の構造１０は、図７に示した乾式壁１４の内部に、すなわちプラスターボード１６とＬＧＳ下地材１２とで囲まれる空間に断熱性吸音材５４を充填したものである。この断熱性吸音材５４としては、例えばグラスウールやロックウール等の断熱性吸音材を用いることができる。このようにすることで、間仕切り壁の構造１０の遮音性能をより一層高めることができる。なお、図１〜図７に示したような間仕切り壁の乾式壁１４の内部に、上記の断熱性吸音材を充填して遮音性能を高めてもよい。
【００４５】
［遮音性能の検証］
次に、本発明に係る間仕切り壁の構造の遮音性能を検証するために行った遮音性能実験および結果について、図９〜図１１を参照しながら説明する。
【００４６】
この遮音性能実験は、ＪＩＳ  Ａ  １４１６：２０００「実験室における建築部材の空気音遮断性能の測定方法」に準拠して行ったものであり、図９および図１０に示した試験体１〜７について、タイプＩＩ試験室における室間音圧レベル差を測定している。
【００４７】
図１１に、試験体別の１／３オクターブ帯域中心周波数と室間音圧レベル差の関係を示す。
【００４８】
試験体１は、従来の典型的な壁先行工法による仕様である。この試験体１は、ＬＧＳ下地材の左面に壁ボード（プラスターボード）を２枚（内側の厚さｔ１２．５ｍｍ、外側の厚さｔ９．５ｍｍ）、右面に１枚（厚さｔ９．５ｍｍ）を貼り付けた乾式壁からなり、床スラブ上に設けられる。ＬＧＳ下地材の配置間隔は３０３ｍｍとしている。天井面には天井ボード（プラスターボード）が１枚（厚さｔ９．５ｍｍ）が設けられる。
【００４９】
この試験体１と同等以上の遮音性能を確保できる床・天井先行工法による仕様を、以下のように実験的に求めた。
【００５０】
まず、壁ボードと天井ボードの厚さ・積層枚数を壁先行工法による仕様の試験体１と同様にして床・天井先行工法を適用し、試験体２とした。
【００５１】
次に、試験体２の壁の右面・天井面に対して厚さｔ１２．５ｍｍのボードをそれぞれ追加して試験体３とした。この試験体３は本発明の図１の構造に相当する。
【００５２】
次に、試験体３のＬＧＳ下地材の配置間隔を３０３ｍｍから４５５ｍｍに増大するとともに、内側の壁ボードの上端部にシール（シーリング材、幅３〜４ｍｍ）を設けて試験体５とした。試験体５は本発明の図４の構造に相当する。これにより、図１１に示すように、中心周波数２００〜４００Ｈｚ帯域の遮音性能が改善されることがわかる。
【００５３】
次に、試験体５の天井ボードを壁位置でカットして切り欠きを設けたものを試験体６とした。試験体６は本発明の図７の構造に相当する。切り欠きを設けることで、天井ボードを経由する固体伝搬音を低減することができる。これによって、図１１に示すように、中心周波数１．２５ｋＨｚ帯域以上で遮音性能が改善されることがわかる。
【００５４】
最後に、試験体６の壁内部にグラスウールＧＷ（２４ｋｇ／ｍ３、厚さ５０ｍｍ）を追加して試験体７とした。試験体７は本発明の図８の構造に相当する。これによって、図１１に示すように、試験体１と同等か、周波数帯域によっては上回る遮音性能を確保することができる。
【００５５】
一方、現場で実際に用いられる床・壁先行工法による仕様を参考にした試験体４と同等以上の遮音性能を確保する床・天井先行工法による仕様を、以下のように実験的に求めた。
【００５６】
この試験体４は、ＬＧＳ下地材の左右両面に壁ボードを２枚（内側の厚さｔ９．５ｍｍ、外側の厚さｔ１２．５ｍｍ）ずつ貼り付けた乾式壁からなり、二重床上に設けられる。ＬＧＳ下地材の配置間隔は３０３ｍｍとしている。左面の内側の壁ボードの上端は上階の床スラブ下面にシールを介することなく接続している。天井面には天井ボードが１枚（厚さｔ９．５ｍｍ）が設けられている。
【００５７】
この試験体４に対して厚さｔ１２．５ｍｍの天井ボードを増し貼りするとともに、壁位置で天井ボードをカットし、内外の壁ボードの厚さを交換し、内側の壁ボードの上端部にシール（シーリング材、幅３〜４ｍｍ）を設けて天井ボードに接続し、ＬＧＳ下地材の配置間隔を３０３ｍｍから４５５ｍｍに増大することで、上述したような試験体６が得られる。このように仕様変更することで、図１１に示すように、試験体４と同等の性能を確保することができる。
【００５８】
以上のように、従来の壁先行工法や床・壁先行工法による仕様に対して、（１）天井ボードを増し貼りし、（２）ＬＧＳ下地材の配置間隔を広くし、（３）天井ボードを壁位置でカットし、（４）壁内部にグラスウールを充填した仕様を適用し、床・天井先行工法による仕様にすることで、遮音性能を大きく改善することができる。
【００５９】
［間仕切り壁の施工方法］
次に、本発明に係る間仕切り壁の施工方法について説明する。この施工方法は、上述した間仕切り壁の構造１０を施工する方法である。図１に示すように、まず、床スラブ２６上に二重床２８を形成するとともに、天井に２枚のプラスターボード２２、２４を貼り付けて天井面２０を形成する。この後、天井面２０と床面３０との間に上記の乾式壁１４を施工する。このような施工方法により、従来の施工方式によらないで内装工事の作業効率化が図れる。
【００６０】
［集合住宅建築物］
次に、本発明に係る集合住宅建築物について説明する。この集合住宅建築物は、上述した間仕切り壁の構造１０を有する住戸を備えるものである。この集合住宅建築物によれば、先行壁をなくし床および天井を先行して施工することで内装工事の作業効率化が図れる。このため、建設工事に係る労務削減や不具合防止、コスト削減、いわゆるリノベーション時のレイアウト変更を容易に行うことができる。
【００６１】
特に、住戸内の全ての壁の種類を上記の間仕切り壁の構造１０に統一することで、内装工事の作業効率化がより一層図れる。この場合、壁位置の天井の高さを統一するとともに（例えば２．５ｍ）、間仕切り壁の乾式壁１４の両面および天井面に貼り付ける２枚のプラスターボード１６、１８、２２、２４を同じ厚さ（例えば９．５ｍｍ）にする。このようにすれば、住戸内で施工する間仕切り壁の種類が１種類になり、作業効率化が図れる。また、乾式壁１４および天井面２０に設けるプラスターボードがそれぞれ２枚であることから、間仕切り壁および天井面における遮音性能や剛性の品質が向上する。なお、ここで使用する間仕切り壁の構造１０は、図１、図４〜図６のいずれか一つでもよいし、図１、図４〜図６のうちの少なくとも一つでもよい。
【００６２】
また、住戸内の台所、浴室、トイレ、ＰＳなどの水廻りのような音が発生する空間の壁や、寝室など外部からの音の侵入を遮りたい空間の壁だけを、上記の間仕切り壁の構造１０で構成してもよい。このようにすれば、住戸内の内装工事の作業効率化が図れるのはもちろんのこと、遮音性に優れた住戸を低コストで実現することができる。なお、ここで使用する間仕切り壁の構造１０は、図１、図４〜図６のいずれか一つでもよいし、図１、図４〜図６のうちの少なくとも一つでもよい。
【００６３】
また、本発明によれば、内装工事の設計図および施工図の図面作成およびチェック時間の短縮が図れる。同一納まりを多用することで、施工ミスの発生を削減することができる。設計図と施工図での変更がほとんどないため、無理な納まりが減り、施工しやすくなり、施工上タクト工程が改善される。さらに、間仕切り壁のＬＧＳ下地材１２を据え付け施工前にプレカットでき、木製建具枠の見込みを統一することもできる。
【００６４】
また、ダクト下がりや梁下がりのないフラットな天井や、梁成の最小化と給排気空調の最適化が可能となり、室内空間の拡大と住戸内プラン変更の自由度の拡大が図れるとともに、外周の梁スリーブがないことにより、住戸性能を向上することができる。
【００６５】
また、天井と床が完成した（先行施工した）状態で間仕切り壁の工事を行うので、例えばマンションや中古住宅のリノベーション時に部屋のレイアウト変更が容易となる。家族構成の変化に合わせて間取りを変えるためにも、レイアウトの可変性は必要とされている。高齢化や子供の独立に伴う部屋数の変更や広さの変更などが可能なことで、住戸の持つ基本性能が向上する。
【００６６】
なお、直近の需要予測において、新しく建設されるオリンピックの選手村を、終了後にマンションに変更するという需要予測がある。こうしたものに対する適用の際にも、室内において容易に間取りが変更可能な本発明は有効である。
【００６７】
以上説明したように、本発明に係る間仕切り壁の構造によれば、室内空間を仕切る間仕切り壁の構造であって、両面に断熱性遮音材を複数層ずつ設けた乾式壁からなり、上端を断熱性遮音材が複数層設けられた天井面に固定し、下端を床スラブ上に形成された二重床の床面に固定したので、この構造は二重床と天井面を先行施工した後、間仕切り壁を施工することで容易に得られる。したがって、本発明によれば、従来の施工方式によらないで内装工事の作業効率化が図れる。
【００６８】
また、本発明に係る他の間仕切り壁の構造によれば、乾式壁の内層側の断熱性遮音材の上端と天井面の断熱性遮音材との間に、シーリング材を設けたので、このシーリング材によって、音漏れの原因となり易い間仕切り壁と天井面の接合部の遮音性を高めることができる。
【００６９】
また、本発明に係る他の間仕切り壁の構造によれば、乾式壁の内層側の断熱性遮音材の下端の直下の二重床の上部床に、縁切り用の切り欠きを設けたので、切り欠きがある側の室内空間で発生した音や振動は切り欠きで遮断され、床面を通じて隣の室内空間に音漏れしにくくなる。このため、間仕切り壁の遮音性を高めることができる。
【００７０】
また、本発明に係る他の間仕切り壁の構造によれば、乾式壁の直上の天井面の断熱性遮音材に、縁切り用の切り欠きを設けたので、室内空間で発生した音に起因する固体伝搬音は切り欠きで遮断され、天井面を通じて隣の室内空間に音漏れしにくくなる。このため、間仕切り壁の遮音性を高めることができる。
【００７１】
また、本発明に係る他の間仕切り壁の構造によれば、乾式壁の直下の上部床と、この上部床を直下より支持する置き床支持脚との間に、防振部材を設けたので、この防振部材が間仕切り壁に伝わる音や振動を和らげる。このため、間仕切り壁の遮音性を高めることができる。
【００７２】
また、本発明に係る他の間仕切り壁の構造によれば、乾式壁の内部に、断熱性吸音材を設けたので、間仕切り壁の遮音性をより一層高めることができる。
【００７３】
また、本発明に係る間仕切り壁の施工方法によれば、上述した間仕切り壁の構造を施工する方法であって、床スラブ上に二重床を形成するとともに、天井面に複数層の断熱性遮音材を設けた後、天井面と二重床の床面との間に乾式壁を施工するので、従来の施工方式によらないで内装工事の作業効率化が図れる。
【００７４】
また、本発明に係る集合住宅建築物によれば、上述した間仕切り壁の構造を有する住戸を備えるので、従来の施工方式によらないで内装工事の作業効率化が図れる。このため、建設工事に係る労務削減や不具合防止、コスト削減等が可能になる。
【００７５】
また、本発明に係る他の集合住宅建築物によれば、全ての間仕切り壁が上記の間仕切り壁の構造のうちの少なくとも一つである住戸を備えるので、内装工事の作業効率化がより一層図れる。
【００７６】
また、本発明に係る他の集合住宅建築物によれば、音が発生する空間または音の伝達を遮りたい空間の間仕切り壁が上記の間仕切り壁の構造のうちの少なくとも一つである住戸を備えるので、内装工事の作業効率化が図れるとともに、遮音性に優れた住戸を低コストで実現することができる。
【産業上の利用可能性】
【００７７】
以上のように、本発明に係る間仕切り壁の構造、施工方法および集合住宅建築物は、例えば超高層集合住宅建築物などに備わる住戸内の部屋を仕切る間仕切り壁の構造、施工方法およびこの構造を有する集合住宅建築物に有用であり、特に、従来の施工方式によらないで内装工事の作業効率化を図るのに適している。
【符号の説明】
【００７８】
１０  間仕切り壁の構造
１２  ＬＧＳ下地材
１４  乾式壁
１６，１８，２２，２４  プラスターボード（断熱性遮音材）
２０  天井面
２５  天井裏空間
２６  床スラブ
２８  二重床
３０  床面
３２  置き床支持脚
３４  野縁
３６，４４  壁支持材
３８  上部床
４０  パーティクルボード
４２  床材
４６  シーリング材
４８，５２  切り欠き
５０  防振シート（防振部材）
５４  断熱性吸音材
【図１】
0006590202.tif 000002
【図２】
0006590202.tif 000003
【図３】
0006590202.tif 000004
【図４】
0006590202.tif 000005
【図５】
0006590202.tif 000006
【図６】
0006590202.tif 000007
【図７】
0006590202.tif 000008
【図８】
0006590202.tif 000009
【図９】
0006590202.tif 000010
【図１０】
0006590202.tif 000011
【図１１】
0006590202.tif 000012
【図１２】
0006590202.tif 000013
【図１３】
0006590202.tif 000014
【図１４】
0006590202.tif 000015
【図１５】
0006590202.tif 000016